【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
長手方向を上下方向に向けるとともに左右方向に間隔をおいて配置された複数の熱交換チューブからなり、かつ通風方向に並んで設けられた風下側および風上側チューブ列と、風下側および風上側チューブ列の熱交換チューブの上下両端部が通じさせられた左右方向に長い風下側および風上側上下両ヘッダ部とを備えており、両チューブ列に、複数の熱交換チューブからなり、かつ冷媒が上から下に流れる下降流チューブ群と冷媒が下から上に流れる上昇流チューブ群とが交互に並ぶように設けられ、風下側チューブ列に３以上のチューブ群があるとともに風上側チューブ列に風下側チューブ列のチューブ群の数よりも１つ少ないチューブ群があり、風下側チューブ列の１つの下降流チューブ群の風上側に風上側チューブ列の１つの下降流チューブ群が配置されるとともに、両下降流チューブ群により１つのパスが構成され、風下側チューブ列における当該１つのパスを構成する下降流チューブ群および当該下降流チューブ群の冷媒流れ方向上流側に隣り合う上昇流チューブ群の上端部が、風下側上ヘッダ部に設けられかつ両端が閉鎖された１つの風下区画に通じさせられ、風上側チューブ列における前記１つのパスを構成する下降流チューブ群の上端部が、風上側上ヘッダ部に設けられ、かつ両端が閉鎖されるとともに前記風下区画よりも左右方向の長さが短い１つの風上区画に通じさせられ、風下区画および風上区画がそれぞれ全体に１つとなった内部空間を有するとともに、風下区画の下降流チューブ群が通じさせられている部分と風上区画とが冷媒通過部によって通じさせられ、風下区画に通じている下降流チューブ群の全熱交換チューブの上端部が風下区画内にあるとともに、風上区画に通じている下降流チューブ群の全熱交換チューブの上端部が風上区画内にあり、風下区画に通じている上昇流チューブ群から流入した冷媒が、風下区画に通じている下降流チューブ群側に流れて当該下降流チューブ群の熱交換チューブ内を下方に流れ、これと同時に、風下区画に通じている上昇流チューブ群から流入した冷媒が、風下区画に通じている下降流チューブ群側に流れるとともに冷媒通過部を通って風上区画に流入した後、風上区画に通じている下降流チューブ群の熱交換チューブ内を下方に流れようになされているエバポレータであって、
風下区画の下降流チューブ群が通じさせられている部分と風上区画との間に、風上区画の全長にわたって仕切部が設けられ、冷媒通過部が、仕切部に左右方向に間隔をおいて形成された複数の貫通穴からなり、各貫通穴の下端が風下区画および風上区画の内部空間の底面よりも上方に離隔しており、冷媒通過部を構成する全貫通穴の下端が、前記１つのパスを構成する２つの下降流チューブ群の全熱交換チューブの上端よりも下方の高さ位置にあり、冷媒通過部を構成する全貫通穴の総面積をＡ、前記１つのパスを構成する風下側チューブ列の下降流チューブ群の全熱交換チューブの冷媒通路の総通路断面積をＢとした場合、Ａ＞Ｂという関係を満たしているエバポレータ。
【請求項２】
冷媒通過部を構成する全貫通穴の総面積が、風下区画の下降流チューブ群が通じさせられている部分と風上区画と間に設けられた仕切部の面積の４０％以下である請求項１記載のエバポレータ。
【請求項３】
冷媒通過部を構成する全貫通穴の下端が同一高さ位置にあり、前記１つのパスを構成する２つの下降流チューブ群の全熱交換チューブの上端が同一高さ位置にある請求項１または２記載のエバポレータ。
【請求項４】
冷媒通過部を構成する全貫通穴の面積が等しくなっている請求項１〜３のうちのいずれかに記載のエバポレータ。
【請求項５】
風下側上ヘッダ部の一端に冷媒入口が設けられるとともに風上側上ヘッダ部の冷媒入口と同一端に冷媒出口が設けられ、風下側チューブ列に３つのチューブ群が設けられるとともに、冷媒入口に最も近い最近チューブ群および冷媒入口から最も遠い最遠チューブ群が下降流チューブ群であり、風上側チューブ列に２つのチューブ群が設けられるとともに、冷媒出口とは反対側のチューブ群が下降流チューブ群であり、風下側チューブ列の最遠チューブ群と風上側チューブ列の下降流チューブ群とによって１つのパスが構成されている請求項１〜４のうちのいずれかに記載のエバポレータ。
【手続補正２】
【補正対象書類名】明細書
【補正対象項目名】００１１
【補正方法】変更
【補正の内容】
【００１１】
1)長手方向を上下方向に向けるとともに左右方向に間隔をおいて配置された複数の熱交換チューブからなり、かつ通風方向に並んで設けられた風下側および風上側チューブ列と、風下側および風上側チューブ列の熱交換チューブの上下両端部が通じさせられた左右方向に長い風下側および風上側上下両ヘッダ部とを備えており、両チューブ列に、複数の熱交換チューブからなり、かつ冷媒が上から下に流れる下降流チューブ群と冷媒が下から上に流れる上昇流チューブ群とが交互に並ぶように設けられ、風下側チューブ列に３以上のチューブ群があるとともに風上側チューブ列に風下側チューブ列のチューブ群の数よりも１つ少ないチューブ群があり、風下側チューブ列の１つの下降流チューブ群の風上側に風上側チューブ列の１つの下降流チューブ群が配置されるとともに、両下降流チューブ群により１つのパスが構成され、風下側チューブ列における当該１つのパスを構成する下降流チューブ群および当該下降流チューブ群の冷媒流れ方向上流側に隣り合う上昇流チューブ群の上端部が、風下側上ヘッダ部に設けられかつ両端が閉鎖された１つの風下区画に通じさせられ、風上側チューブ列における前記１つのパスを構成する下降流チューブ群の上端部が、風上側上ヘッダ部に設けられ、かつ両端が閉鎖されるとともに前記風下区画よりも左右方向の長さが短い１つの風上区画に通じさせられ、風下区画および風上区画がそれぞれ全体に１つとなった内部空間を有するとともに、風下区画の下降流チューブ群が通じさせられている部分と風上区画とが冷媒通過部によって通じさせられ、風下区画に通じている下降流チューブ群の全熱交換チューブの上端部が風下区画内にあるとともに、風上区画に通じている下降流チューブ群の全熱交換チューブの上端部が風上区画内にあり、風下区画に通じている上昇流チューブ群から流入した冷媒が、風下区画に通じている下降流チューブ群側に流れて当該下降流チューブ群の熱交換チューブ内を下方に流れ、これと同時に、風下区画に通じている上昇流チューブ群から流入した冷媒が、風下区画に通じている下降流チューブ群側に流れるとともに冷媒通過部を通って風上区画に流入した後、風上区画に通じている下降流チューブ群の熱交換チューブ内を下方に流れようになされているエバポレータであって、
風下区画の下降流チューブ群が通じさせられている部分と風上区画との間に、風上区画の全長にわたって仕切部が設けられ、冷媒通過部が、仕切部に左右方向に間隔をおいて形成された複数の貫通穴からなり、各貫通穴の下端が風下区画および風上区画の内部空間の底面よりも上方に離隔しており、冷媒通過部を構成する全貫通穴の下端が、前記１つのパスを構成する２つの下降流チューブ群の全熱交換チューブの上端よりも下方の高さ位置にあり、冷媒通過部を構成する全貫通穴の総面積をＡ、前記１つのパスを構成する風下側チューブ列の下降流チューブ群の全熱交換チューブの冷媒通路の総通路断面積をＢとした場合、Ａ＞Ｂという関係を満たしているエバポレータ。
【手続補正３】
【補正対象書類名】図面
【補正対象項目名】図４
【補正方法】変更
【補正の内容】
【図４】
2018105593.tif 000001